(57)【要約】【課題】ハイブリッド型のバックライトを構成する赤色光源の異常発生時に、画質の悪化を防止できる液晶表示装置を提供すること。【解決手段】ＬＥＤ異常検出回路１８により、ＬＥＤ１３（赤色光源）の点灯異常が検出された場合に、制御回路８がＬＥＤ１３を消灯させ、さらに、映像処理回路４が、映像内容（映像階調）に基づいて赤、青及び緑の各色の液晶出力輝度を調節するとともに、消灯されたＬＥＤ１３に対応する表示領域について、各色の液晶出力輝度のバランスを、赤色を補強する方向に補正する。【選択図】図２
2007304168.tif 000002
【特許請求の範囲】
【請求項１】
液晶表示パネルの背面を概ね白色の光源により照明する第１照明手段及び複数配列された赤色光源により照明する第２照明手段の各々を有するハイブリッド型背面照明手段と、前記液晶表示パネルに表示させる映像内容に応じて赤色を含む複数色各々について前記液晶表示パネルの出力輝度を調節する出力輝度調節手段とを備えた液晶表示装置であって、
前記赤色光源の点灯異常を検出する赤色光源異常検出手段と、
前記赤色光源異常検出手段により前記赤色光源の点灯異常が検出された場合に、前記出力輝度調節手段により映像内容に応じて調節される前記液晶表示パネルの各色の出力輝度のバランスを補正する出力輝度補正手段と、
を具備してなることを特徴とする液晶表示装置。
【請求項２】
前記出力輝度補正手段が、前記液晶表示パネルの赤色の出力輝度を上げる方向に、その他の色の出力輝度を下げる方向に補正してなる請求項１に記載の液晶表示装置。
【請求項３】
前記赤色光源異常検出手段により前記赤色光源の点灯異常が検出された場合に、点灯異常が検出されたものを含む前記赤色光源を消灯させる赤色光源消灯制御手段を具備し、
前記出力輝度補正手段が、前記赤色光源消灯制御手段により消灯された前記赤色光源に対応する前記液晶表示パネルの表示領域について、該液晶表示パネルの各色の出力輝度のバランスを補正してなる請求項１又は２のいずれかに記載の液晶表示装置。
【請求項４】
前記赤色光源消灯制御手段が、前記赤色光源異常検出手段により前記赤色光源の点灯異常が検出された場合に全ての前記赤色光源を消灯させてなる請求項３に記載の液晶表示装置。
【請求項５】
前記赤色光源異常検出手段が、前記赤色光源の異常を各々独立して点滅可能な複数の区分それぞれについて検出するものであり、
前記赤色光源消灯制御手段が、前記赤色光源異常検出手段により点灯異常が検出された区分に属する前記赤色光源を消灯させてなる請求項３に記載の液晶表示装置。
【発明の詳細な説明】
【技術分野】
【０００１】
本発明は、液晶表示パネルの背面を、概ね白色の光と赤色の光とで照明するハイブリッド型背面照明手段を備えた液晶表示装置に関するものである。
【背景技術】
【０００２】
液晶表示装置は、液晶表示パネルをその背面から照明するバックライト（背面照明手段）を備え、このバックライトとしては、一般的に、赤、緑及び青の各波長の光の合成光を発光する蛍光管（冷陰極管）が採用される。
ここで、蛍光管によるバックライトは、人間の目の色感度を基準として適正と考えられるホワイトバランスに対し、赤色の波長帯の光の強度がやや不足する傾向にあり、色再現性のさらなる向上を図るためには、蛍光管の光よりも赤色波長帯の光が補強された光を発光するバックライトを採用することが望ましい。これに対し、従来、色再現性の向上を目的として、赤、緑及び青の各波長の光を発光する複数色のＬＥＤが配列されたＬＥＤ型のバックライトや、特許文献１に示されるように、従来の蛍光管と赤色波長の光を補う赤色ＬＥＤとの両方が配列されたハイブリッド型のバックライト等が採用されることがある。
また、特許文献２には、液晶パネルのバックライトを構成する主光源（蛍光管）が故障して点灯しなくなった場合に、副光源（ＬＥＤ又は蛍光管）を点灯させるバックライト装置が示されている。
また、特許文献３には、液晶パネルのバックライトを構成する３色（Ｒ、Ｇ、Ｂ）のＬＥＤそれぞれの異常有無を検出し、いずれかのＬＥＤの異常を検出した場合にアラーム出力をするバックライトユニットが示されている。
【特許文献１】特開２００４−１３９８７６号公報
【特許文献２】特開２００２−１３１７４６号公報
【特許文献３】特開平１１−６４８４５号公報
【発明の開示】
【発明が解決しようとする課題】
【０００３】
ところで、ＬＥＤ素子は、基本的には寿命が長いものであるが、ハイブリッド型のバックライトでは、多数の赤色ＬＥＤ素子が配列されるため、その中に不良品（長期間安定した発光ができないもの）が含まれる可能性が高くなる。
このため、ハイブリッド型のバックライトでは、一部の赤色ＬＥＤ素子に異常が発生する確率が比較的高くなり、異常発生（赤色ＬＥＤの不点灯）時には、その部分の表示色のバランスが崩れ、色ムラや輝度ムラが生じる（画質が悪化する）という問題点があった。特に、大型の液晶パネルに用いられるハイブリッド型のバックライトでは、非常に多数の赤色ＬＥＤ素子が設けられ、その中に不良品が混在する確率が高くなるため、上記問題点がより顕著となる。
従って、本発明は上記事情に鑑みてなされたものであり、その目的とするところは、ハイブリッド型のバックライトを構成する赤色光源の異常発生時に、画質の悪化を防止できる液晶表示装置を提供することにある。
【課題を解決するための手段】
【０００４】
上記目的を達成するために本発明は、液晶表示パネルの背面を、概ね白色の光により照明する第１照明手段（蛍光管がその典型例）及び複数配列された赤色光源（赤色ＬＥＤがその典型例）により照明する第２照明手段の各々を有するハイブリッド型背面照明手段と、前記液晶表示パネルに表示させる映像内容に応じて赤色を含む複数色各々について前記液晶表示パネルの出力輝度を調節する出力輝度調節手段とを備えた液晶表示装置に適用され、次の（１）及び（２）に示す各構成要素を具備することを特徴とするものである。
（１）前記赤色光源の点灯異常を検出する赤色光源異常検出手段。
（２）前記赤色光源異常検出手段により前記赤色光源の点灯異常が検出された場合に、前記出力輝度調節手段により映像内容に応じて調節される前記液晶表示パネルの各色の出力輝度のバランスを補正する出力輝度補正手段。
例えば、前記出力輝度補正手段が、前記液晶表示パネルの赤色の出力輝度を上げる方向に、その他の色の出力輝度を下げる方向に補正するよう構成される。
このような構成を有することにより、赤色光源の点灯異常（消灯）によって生じる赤色の不足分を、液晶表示パネルにおける各色の出力輝度バランスの補正によって補うことができ、画質の悪化を防止できる。
【０００５】
また、本発明に係る液晶表示装置は、さらに次の（３）に示す構成要素を備えることが考えられる。
（４）前記赤色光源異常検出手段により前記赤色光源の点灯異常が検出された場合に、点灯異常が検出されたものを含む前記赤色光源を消灯させる赤色光源消灯制御手段。
但しこの場合、前記出力輝度補正手段は、前記赤色光源消灯制御手段により消灯された前記赤色光源に対応する前記液晶表示パネルの表示領域について、その液晶表示パネルの各色の出力輝度のバランスを補正する。
より具体的な一例としては、前記赤色光源消灯制御手段が、前記赤色光源異常検出手段により前記赤色光源の点灯異常が検出された場合に全ての前記赤色光源を消灯させるものであることが考えられる。
これにより、液晶表示パネルの全表示領域が同じ表示条件となり、部分的な色ムラや輝度ムラの発生をより確実に防止できる。また、前記赤色光源異常検出手段は、点灯異常が生じた赤色光源の位置を特定できなくても、いずれかの赤色光源に異常が発生したことを検出できれば足り、構成がシンプルとなる。
一方、他の例としては、前記赤色光源異常検出手段が、前記赤色光源の異常を各々独立して点滅可能な複数の区分それぞれについて検出するよう構成され、さらに、前記赤色光源消灯制御手段が、前記赤色光源異常検出手段により点灯異常が検出された区分に属する前記赤色光源を消灯させるよう構成されることが考えられる。
これにより、一部の赤色光源に点灯異常が生じた場合に、液晶表示パネルの全体の表示輝度の低下を極力抑えながら、部分的な色ムラや輝度ムラを極力抑えることができる。
【発明の効果】
【０００６】
本発明によれば、ハイブリッド型の背面照明手段（バックライト）における赤色光源に点灯異常（消灯）が発生した場合でも、これによって生じる赤色の不足分を、液晶表示パネルにおける各色の出力輝度バランスの補正によって補うことができ、画質の悪化を防止できる。
【発明を実施するための最良の形態】
【０００７】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶表示装置Ｘの概略構成を表すブロック図、図２は液晶表示装置Ｘにおけるバックライト及び液晶出力輝度の制御手順を表すフローチャート、図３は液晶表示装置Ｘにおける液晶出力輝度の調節に用いるγテーブルをグラフ化した図である。
【０００８】
まず、図１に示すブロック図を用いて、本発明の実施形態に係る液晶表示装置Ｘの構成について説明する。図１に示す液晶表示装置Ｘは、アンテナ等により受信されたテレビジョン放送信号に基づく映像を液晶表示パネル２１（以下、液晶パネルという）により表示するテレビジョン受像機である。
そして、液晶表示装置Ｘは、液晶パネル２１の背面を、概ね白色の光により照明する蛍光管１２（第１照明手段の一例、図中、ＣＦＬと表す）と、同じく液晶パネル２１の背面を、複数配列された赤色のＬＥＤ１３により照明するＬＥＤユニット（不図示、第２照明手段の一例）との各々を有するハイブリッド型のバックライトを備えている。なお、ここでは、液晶表示装置Ｘの構成例としてテレビジョン受像機を示すが、本発明の適用対象はこれに限るものではなく、例えば、計算機の液晶表示装置等、液晶パネルとハイブリッド型のバックライトとを備えるものであれば、他の液晶表示装置であってもかまわない。
図１に示すように、液晶表示装置Ｘは、複数のチューナ１ａ、１ｂ、１ｃ、外部入力部２、映像切替回路３、映像処理回路４、タイマ回路６、リモコン７、制御回路８、リモコンインターフェース（Ｉ／Ｆ）回路９、液晶パネル２１、バックライトを構成する蛍光管１２及びＬＥＤ１３、インバータ回路１４、ＬＥＤ駆動回路１５、カラーセンサ１６、明るさセンサ１７、ＬＥＤ異常検出回路１８、音声切替回路１０、音声処理回路１１、アンプ２２、及びスピーカ２３等を具備して構成されている。
【０００９】
前記チューナ１ａ、１ｂ、１ｃは、各々地上波放送信号、ＢＳ衛星放送信号及びＣＡＴＶ放送信号の各々が入力され、入力された各放送信号から前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。
また、前記外部入力部２は、外部からコンポジット方式或いはセパレート方式の映像信号及び音声信号等である外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１０】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記液晶パネル２１に出力する。
ここで、映像処理回路４が液晶パネル２１に出力する映像信号は、赤、青及び緑の各色の出力輝度を表す信号である。映像処理回路４は、液晶パネル２１に表示させる映像内容に応じて、赤、青及び緑の各色の映像信号のレベル（出力輝度のレベル）を調節する（出力輝度調節手段の一例）。ここで、映像内容は、画素ごと及び各色ごとに、その画素の濃度レベルを表す映像階調によって定まる。映像処理回路４は、液晶パネル２１での表示映像が、その映像階調に対応した濃度で視認されるように、映像階調を所定のγ曲線に従って映像信号のレベルに変換（映像信号レベルを調節）する。以下、この映像処理回路４により調節される赤、青及び緑の各色の映像信号レベルが表す輝度を、液晶出力輝度という。
【００１１】
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ａが実行する処理において読み書き（参照又は書き込み）される設定情報を記憶するＥＥＰＲＯＭ８ｃ等を備え、当該液晶表示装置Ｘ全体を制御するものである。
前記タイマ回路６は、時刻の計時や、制御回路８により指定された時間の計時を行うものである。タイマ回路６の計時結果は、制御回路８に伝送される。
前記リモコンインターフェース回路９は、当該液晶表示装置Ｘの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７のチャン１ネル選択キーに対する操作入力の情報が、前記リモコンインターフェース回路９を通じて前記制御回路８に入力され、その操作入力情報に従って、前記制御回路８により、前記チューナ１ａ、１ｂ、１ｃのいずれかに対して選局するチャンネルが指定されるとともに、そのチャンネルの映像が前記液晶パネル２１に表示されるように前記映像切替回路３が制御される。
同様に、音量調節が行われる場合、前記リモコン７の音量ボリューム調節キー（音量のアップキーとダウンキー）に対する操作入力情報に従って、前記制御回路８から前記アンプ２２に対して出力音量の調節指令が出力され、その指令に従って前記アンプ２２により前記スピーカ２３に対する出力音量が調節される。
【００１２】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ２３の特性に合わせたイコライズ処理や、サラウンド処理等を行う。
前記アンプ２２は、前記音声処理回路１１による処理後の音声信号を、前記制御回路８からの指示に従って増幅或いは減衰させる処理を行い、前記アンプ２３に出力するものである。
また、前記液晶パネル２１は、映像処理回路４から出力される映像信号に基づく映像を表示するものである。
また、前記明るさセンサ１７は、液晶パネル２１の前面側の明るさ（液晶表示装置Ｘの設置環境の明るさ）を検知するセンサであり、前記カラーセンサ１６は、液晶パネル２１の背面側における光の色分布（Ｒ、Ｇ、Ｂの分布）を検知するセンサである。これらのセンサは、後述するように、蛍光管１２やＬＥＤ１３の明るさ（出力）制御に用いられる。
【００１３】
液晶パネル２１のバックライト（背面照明手段）を構成する蛍光管１２は、赤、緑及び青の各波長の光の合成光である概ね白色の光を発光するものであり、複数の蛍光管が配列されて構成されている（第１の照明手段の一例）。また、同じくバックライトを構成するＬＥＤ１３は、赤色波長の光を発光する赤色ＬＥＤであり、複数の蛍光管１２の間等に複数配列されて構成されている（第２の照明手段の一例）。
蛍光管１２は、前記インバータ回路１４（図中、ＩＮＶ回路と示す）により駆動され、インバータ回路１４は、制御回路８から出力される制御指令に従って、蛍光管１２への供給電力を調節する。具体的には、制御回路８からインバータ回路１４に対して矩形波状のパルス信号が出力され、そのパルス信号のデューティー比に応じたデューティー比を有するパルス状の駆動電圧が蛍光管１２に供給される。そして、制御回路８がインバータ回路１４に出力するパルス信号のデューティー比を調節することにより、ＰＷＭ（Pulse Width Modulation：パルス幅階調)調光による蛍光管１２の明るさ調節が行われる。これにより、蛍光管１２の点灯、消灯及び明るさの制御が行われる。
一方、ＬＥＤ１３（赤色ＬＥＤ）は、前記ＬＥＤ駆動回路１５により駆動され、ＬＥＤ駆動回路１５が、制御回路８から出力される制御指令に従って、ＬＥＤ１３に対する供給電流を調節することにより、電流調光方式によるＬＥＤ１３の明るさ調節が行われる。これにより、ＬＥＤ１３の点灯、消灯及び明るさの制御が行われる。
【００１４】
ＬＥＤ異常検出回路１８は、ＬＥＤ１３（赤色光源）の点灯異常を検出し、検出結果を制御回路８へ伝送する回路（赤色光源異常検出手段の一例）である。このＬＥＤ異常検出回路１８は、例えば、ＬＥＤ駆動回路１５によりＬＥＤ１３が駆動されている（点灯信号が出力されている）状態において、ＬＥＤ駆動回路１５とＬＥＤ１３（赤色ＬＥＤ素子）それぞれとの間の信号線に接続されたコンパレータにより、各信号線に基準電圧（或いは基準電流）以上の信号が発生しているか否かを検知することにより、ＬＥＤ１３が点灯しているか否か（正常であるか点灯異常であるか）を検出する回路である。なお、ここでは、ＬＥＤ異常検出回路１８は、前記コンパレータそれぞれの出力信号（正常時にＯＮ、異常時にＯＦＦ）の論理積信号を生成するＡＮＤ回路により、複数のＬＥＤ１３の全てが正常であるか、１つ以上に点灯異常が発生しているかを検出するものとする。
【００１５】
次に、図２に示すフローチャートを参照しつつ、制御回路８のＭＰＵ８ａが所定の制御プログラムを実行することにより実現されるバックライトの制御、及び映像処理回路４が制御回路８からの制御指令に従って実行する液晶出力輝度の制御の手順について説明する。なお、図２に示す処理は、利用者によるリモコン７操作等により、当該液晶表示装置Ｘが起動（電源ＯＮ）された場合や、タイマー起動設定等により予め設定された時刻に当該液晶表示装置Ｘが自動起動した場合等に開始されるものとする。また、以下に示すＳ１、Ｓ２、…は、処理手順（ステップ）の識別符号を表す。
［ステップＳ１〜Ｓ４］
まず、制御回路８は、インバータ回路１４を制御することによって蛍光管１２（ＣＦＬ）を点灯させ（Ｓ１）、さらに、ＬＥＤ駆動回路１５を制御すことによって全てのＬＥＤ１３を点灯させる（Ｓ２）。
次に、制御回路８は、明るさセンサ１７及びカラーセンサ１６を通じて、液晶パネル２１の前面側の明るさ、及び液晶パネル２１の背面側の光の色（色分布）を検知する（Ｓ３）。
さらに、制御回路８は、蛍光管１２の出力レベル（発光強度）を、ステップＳ３で検知した明るさに応じて補正し、補正後の出力レベルに基づいてインバータ回路１４を制御する（Ｓ４）。即ち、制御回路８は、液晶パネル２１の前面側の明るさを検知する明るさセンサ１７の検知レベルに応じて、蛍光管１２の明るさ（出力）を制御する。具体的には、液晶パネル２１の前面側が明るいほど蛍光管１２の明るさ（出力）を上げる。これにより、周囲の明るさとの関係で、相対的に液晶パネル２１の出力映像が暗すぎると感じられたり、明るすぎると感じられたりすることを防止できる。
【００１６】
［ステップＳ５］
次に、制御回路８は、前記ＬＥＤ異常検出回路１８から伝送される信号を参照することにより、いずれかのＬＥＤ１３に点灯異常が発生しているか否かを判別する（Ｓ５）。
ここで、制御回路８は、ＬＥＤ１３に異常が発生していると判別した場合に、ＬＥＤ異常モードでの動作を実行するステップＳ９からＳ１１に処理を移行させる。それ以外の場合は、制御回路８は、ＬＥＤ正常モードでの動作を実行するステップＳ６からＳ８に処理を移行させる。以下、これらＬＥＤ正常モード（Ｓ６〜Ｓ８）及びＬＥＤ異常モード（Ｓ９〜Ｓ１１）の各々における処理手順について説明する。
【００１７】
・ＬＥＤ正常モード
［ステップＳ６］
ＬＥＤ正常モードでは、制御回路８は、ステップＳ３で検知した光の色（液晶パネル２１の背面側の光の色分布）に応じて、ＬＥＤ１３の明るさ（出力）を調節する（Ｓ６）。具体的には、制御回路８は、カラーセンサ１６により検知されるＲＧＢの色分布に基づいて、その色バランスが予め定められた目標とするホワイトバランスに近づくように、ＬＥＤ１３による赤色光の補強制御（自動制御）を行う。即ち、制御回路８は、カラーセンサ１６の検知結果を目標値に近づけるという制御規則に従って、ＬＥＤ１３の光量を自動制御するものである。
【００１８】
［ステップＳ７、Ｓ８］
また、制御回路８は、映像処理回路４に対し、前記液晶出力輝度の調節に用いられるγテーブルを設定する（Ｓ７）。
図３（ａ）、（ｂ）に実線で示すグラフは、液晶出力輝度の調節に用いるγテーブルをグラフ化したものである。図３（ａ）には、赤色の液晶出力輝度に関するγテーブル（ＲＴγ[ｉ]）、図３（ｂ）には、緑色の液晶出力輝度に関するγテーブル（ＧＴγ[ｉ]  を例示しているが、青色についても同様である。
図３に実線のグラフで示すように、γテーブルは、前記映像階調を前記映像出力輝度に変換するγ曲線を規定する変換テーブル（データテーブル）である。ここで、γテーブルは、利用者によって設定される明るさ設定値（＝ｉ）ごとに異なる。ステップＳ７では、制御回路８は、利用者により予め設定された明るさ設定値に応じて、各色（Ｒ、Ｇ、Ｂ）ごとに１つのγテーブルを選択し映像処理回路４に設定する。
また、映像処理回路４は、ステップＳ７で設定されたγテーブルに基づいて前記映像階調を前記液晶出力輝度に変換することにより、液晶出力輝度を調節する（Ｓ８）。これにより、液晶パネル２１に映像が表示される。
以上示したＬＥＤ正常モードの処理（Ｓ６〜Ｓ８）が終了すると、制御回路８は、処理を前述したステップＳ３へ移行させる。これにより、再度、ステップＳ３からの処理が繰り返される。
【００１９】
・ＬＥＤ異常モード
[ステップＳ９〜Ｓ１１]
一方、ＬＥＤ異常モード（ＬＥＤ異常検出回路１８によりＬＥＤ１３の異常が検出された場合）では、まず、制御回路８は、ＬＥＤ駆動回路１５を制御することにより、全てのＬＥＤ１３（点灯異常が検出されたものを含む赤色光源の一例）を消灯させる（Ｓ９、赤色光源消灯制御手段の一例）。
また、制御回路８は、映像処理回路４に対し、前記液晶出力輝度の調節に用いられるγテーブルを設定するとともに、さらに、そのγテーブルに基づいて定まる各色（Ｒ、Ｇ、Ｂ）の液晶出力輝度の補正に用いる補正係数も映像処理回路４に対して設定する（Ｓ１０）。
このステップＳ１０において、制御回路８は、ステップＳ７での処理と同様に、予め利用者によって設定される明るさ設定値に応じて、各色ごとに１つのγテーブルを選択し映像処理回路４に設定する。
さらに、ステップＳ１０において、制御回路８は、赤、緑及び青の各色のγテーブルと、各色の映像内容とに応じて（即ち、前記映像階調に応じて）定まる各色の液晶出力輝度（液晶パネル２１の各色の出力輝度）を、赤色については輝度を上げる方向に、緑色及び青色については輝度を下げる方向に補正するための補正係数を映像処理回路４に設定する。
図３（ａ）に、明るさ設定値＝ｉのときに採用される赤色用のγテーブル（ＲＴγ［ｉ］）を、ステップＳ１０で設定される赤色用の補正係数に基づいて補正した後のγテーブル（ＲＴｒ’[ｉ]）を、破線グラフにより例示している。
また、図３（ｂ）に、明るさ設定値＝ｉのときに採用される緑色用のγテーブル（ＧＴγ［ｉ］）を、ステップＳ１０で設定される緑色用の補正係数に基づいて補正した後のγテーブル（ＧＴｒ’[ｉ]）を、破線グラフにより例示している。
なお、青色についても、図３（ｂ）に示される緑色の場合と同様に、液晶出力輝度を下げる方向の補正係数が設定される。
これら補正係数は、明るさ設定値ごとに予め行われる実験等に基づき決定され、制御回路８のＥＥＰＲＯＭ８ｃ等に予め記憶させておく。
【００２０】
［ステップＳ１１］
また、映像処理回路４は、ステップＳ１０で設定されたγテーブルに基づいて、前記映像階調を前記液晶出力輝度に変換する（即ち、映像内容に基づき調節する）とともに、その変換により得られる各色の液晶出力輝度を、ステップＳ１０で設定された各色の補正係数に基づき補正する（Ｓ１１、出力輝度補正手段の一例）。これにより、液晶パネル２１に、ＬＥＤ正常モードの場合よりも、緑色及び青色に対して赤色が補強された映像が表示される。ここで、ステップＳ９において、全てのＬＥＤ１３が消灯されるので、これに対応する液晶パネル２１の全ての表示領域（全ての画素）について、液晶出力輝度の補正が行われる。
このように、映像処理回路４は、映像内容（前記映像階調）に基づいて赤、青及び緑の各色の前記液晶出力輝度を調節する（出力輝度調節手段の一例）とともに、全表示領域（消灯された全てのＬＥＤ１３に対応する表示領域）について、各色の液晶出力輝度のバランスを、赤色を補強する方向に補正する（出力輝度補正手段の一例）。
以上示したＬＥＤ異常モードの処理（Ｓ９〜Ｓ１１）が終了すると、制御回路８は、処理を前述したステップＳ３へ移行させる。これにより、再度、ステップＳ３からの処理が繰り返される。
以上に示したように、液晶表示装置Ｘは、ハイブリッド型のバックライトにおける赤色のＬＥＤ１３に点灯異常（消灯）が発生した場合でも、これによって生じる赤色の不足分を、液晶パネル２１における各色の液晶出力輝度のバランスを補正によって補うことができ、画質の悪化を防止できる。
【００２１】
以上に示した液晶表示装置Ｘは、前記ＬＥＤ異常モードでの動作時に、赤色の液晶出力輝度を上げる方向に、他の色の液晶出力輝度を下げる方向に補正するものであったが、その他、赤色の液晶出力輝度を上げる補正のみを行うことや、赤色以外の色の液晶出力輝度を上げる補正のみを行うこと等も考えられる。
また、赤色の液晶出力輝度の補正方法は、前述した方法に限らず、例えば、補正前のγテーブルと補正後のγテーブルとの両方を予め記憶手段に記憶しておき、ＬＥＤ正常モード及びＬＥＤ異常モードのいずれのモードであるかに応じて、いずれのγテーブルを使用するかを切り替えるような構成も、本発明の実施形態の一例である。
【００２２】
また、前述した実施形態では、ＬＥＤ１３の点灯異常が発生した場合に、全てのＬＥＤ１３を消灯させ、液晶パネル２１の全ての表示領域について、液晶出力輝度の補正（色バランス補正）を行う例を示したが、その他、以下のような実施形態も考えられる。
まず、ＬＥＤ駆動回路１５を、複数に区分されたＬＥＤ１３又はＬＥＤ１３の集合ごとに独立して点滅可能に構成する。例えば、横方向１ライン分のＬＥＤ１３ごと、或いは１つ１つのＬＥＤ１３ごとに点滅可能に構成する。
さらに、ＬＥＤ異常検出回路１８を、ＬＥＤ駆動回路１５により独立して点滅可能なＬＥＤ１３の区分ごとに、各区分に属するＬＥＤ１３の点灯異常の有無を検出するよう構成する。例えば、横方向１ライン分のＬＥＤ１３への信号線ごと、或いは１つ１つのＬＥＤ１３への信号線ごとに、電圧や電流の状態を検知することによって点灯異常が検出されるよう構成する。
そして、そのようなＬＥＤ異常検出回路１５によってＬＥＤ１３の点灯異常が検出された場合に、制御回路８が、ＬＥＤ駆動回路１５を制御することにより、点灯異常が検出された区分に属するＬＥＤ１３（１ライン分のＬＥＤ１３、或いは１つ１つのＬＥＤ１３等）を消灯させる。これと併せて、制御回路８が、ＬＥＤ１３の異常が検出された区分に対応する領域（画素）を映像処理回路４に通知することにより、映像処理回路４が、通知された領域（画素）についてのみ、前述した液晶出力輝度の補正（色バランスの補正）を行う。
この場合、ＬＥＤ１３を消灯させた領域においてバックライトの輝度が下がるので、緑色及び青色の液晶出力輝度を若干上げる方向に補正するとともに、赤色の液晶出力輝度をそれよりさらに上げるように補正することが考えられる。
これにより、一部のＬＥＤ１３に点灯異常が生じた場合に、液晶パネル２１の全体の表示輝度の低下を極力抑えながら、部分的な色ムラや輝度ムラを極力抑えることができる。
【産業上の利用可能性】
【００２３】
本発明は、液晶表示装置に利用可能である。
【図面の簡単な説明】
【００２４】
【図１】本発明の実施形態に係る液晶表示装置Ｘの概略構成を表すブロック図。
【図２】液晶表示装置Ｘにおけるバックライト及び液晶出力輝度の制御手順を表すフローチャート。
【図３】液晶表示装置Ｘにおける液晶出力輝度の調節に用いるγテーブルをグラフ化した図。
【符号の説明】
【００２５】
Ｘ…液晶表示装置
１ａ、１ｂ、１ｃ…チューナ
２…外部入力部
３…映像切替回路
４…映像処理回路
６…タイマ回路
７…リモコン
８…制御回路
９…リモコンインターフェース回路
１０…音声切替回路
１１…音声処理回路
１２…蛍光管（ほぼ白色の光源）
１３…ＬＥＤ（赤色光源）
１４…インバータ回路
１５…ＬＥＤ駆動回路
１６…カラーセンサ
１７…明るさセンサ
１８…ＬＥＤ異常検出回路
２１…液晶パネル
Ｓ１、Ｓ２、・・…ステップ（処理手順）
【図１】
2007304168.tif 000003
【図２】
2007304168.tif 000004
【図３】
2007304168.tif 000005